(57)【要約】【課題】複数の記録媒体が重なるような状態で見たときに、他のページからの画像の写り込みを防止することにある。【解決手段】  プレビュー画像生成部３０６は、第１の記録媒体の着目ページの第１の画像データ、第１の記録媒体における着目ページとは異なるページの第２の画像データ、第１の記録媒体の下に位置する第２の記録媒体の第３の画像データを取得する。プレビュー画像生成部３０６は、第１の記録媒体及び第２の記録媒体の物性データを取得し、取得したそれらのデータに基づいて着目ページのプレビュー画像データを生成する。【選択図】図１
2011015281.tif 000002
【特許請求の範囲】
【請求項１】
第１の記録媒体の着目ページに記録される第１の画像データ、前記第１の記録媒体における着目ページとは異なるページに記録される第２の画像データ、及び、前記着目ページからみて前記第１の記録媒体の下に位置する第２の記録媒体に記録される第３の画像データを取得する画像データ取得手段と、
前記第１の記録媒体及び前記第２の記録媒体の物性データを取得する物性データ取得手段と、
前記画像データ取得手段と前記物性データ取得手段とによって取得されたデータに基づいて、前記着目ページのプレビュー画像データを生成する生成手段とを有することを特徴とする画像処理装置。
【請求項２】
前記生成手段は、前記第１の画像データ、前記第２の画像データ及び前記第３の画像データの印字濃度、並びに、前記第１の記録媒体及び前記第２の記録媒体の物性データに基づいて、前記プレビュー画像データを生成することを特徴とする請求項１に記載の画像処理装置。
【請求項３】
前記プレビュー画像データが修正された場合、その修正内容を、前記第１の画像データ、前記第２の画像データ、前記第３の画像データ、前記第１の記録媒体、前記第２の記録媒体のうちの少なくとも何れか一つに対して反映させる修正手段を更に有することを特徴とする請求項１又は２に記載の画像処理装置。
【請求項４】
前記修正手段は、前記第１の記録媒体又は前記第２の記録媒体の種類を、前記プレビュー画像データの修正内容に応じて変更することを特徴とする請求項３に記載の画像処理装置。
【請求項５】
前記修正手段は、前記第１の画像データ、前記第２の画像データ又は前記第３の画像データの印字濃度を、前記プレビュー画像データの修正内容に応じて変更することを特徴とする請求項３又は４に記載の画像処理装置。
【請求項６】
前記物性データは、前記第１の記録媒体又は前記第２の記録媒体の坪量、組成及び光学特性のうちの少なくとも何れか一つを含むことを特徴とする請求項１乃至５の何れか１項に記載の画像処理装置。
【請求項７】
前記光学特性は、前記第１の記録媒体又は前記第２の記録媒体の不透明度、反射率、透過率及び屈折率のうちの少なくとも何れか一つを含むことを特徴とする請求項６に記載の画像処理装置。
【請求項８】
２種類以上の複数の前記第１の記録媒体に前記第１の画像データ及び前記第２の画像データを記録した場合、又は、２種類以上の複数の前記第２の記録媒体に前記第３の画像データを記録した場合における各記録媒体の種類に対応する前記プレビュー画像データを同時に出力装置に出力させる出力制御手段を更に有することを特徴とする請求項１乃至７の何れか１項に記載の画像処理装置。
【請求項９】
前記プレビュー画像データが一定基準から外れた場合に警告を行う警告手段を更に有することを特徴とする請求項１乃至８の何れか１項に記載の画像処理装置。
【請求項１０】
第１の記録媒体の着目ページに記録される第１の画像データ、前記第１の記録媒体における着目ページとは異なるページに記録される第２の画像データ、及び、前記着目ページからみて前記第１の記録媒体の下に位置する第２の記録媒体に記録される第３の画像データを取得する画像データ取得ステップと、
前記第１の記録媒体及び前記第２の記録媒体の物性データを取得する物性データ取得ステップと、
前記画像データ取得ステップと前記物性データ取得ステップとによって取得されたデータに基づいて、前記着目ページのプレビュー画像データを生成する生成ステップとを含むことを特徴とする画像処理方法。
【請求項１１】
第１の記録媒体の着目ページに記録される第１の画像データ、前記第１の記録媒体における着目ページとは異なるページに記録される第２の画像データ、及び、前記着目ページからみて前記第１の記録媒体の下に位置する第２の記録媒体に記録される第３の画像データを取得する画像データ取得ステップと、
前記第１の記録媒体及び前記第２の記録媒体の物性データを取得する物性データ取得ステップと、
前記画像データ取得ステップと前記物性データ取得ステップとによって取得されたデータに基づいて、前記着目ページのプレビュー画像データを生成する生成ステップとをコンピュータに実行させるためのプログラム。
【発明の詳細な説明】
【技術分野】
【０００１】
本発明は、例えば製本時における裏写り、他のページからの透けを防止するための技術に関するものである。
【背景技術】
【０００２】
プリンタ、複写装置、ファクシミリ等の画像記録装置として用いられる画像形成装置は、記録用紙の両面に印刷を行った場合、裏面の記録データが濃く透けて見える(以下では、これを「裏写り」と称する)ことが問題であった。また、印刷後の用紙を束ねて製本にする場合、２ページ以上先(又は前)のページの記録データが濃く透けて見える(以下では、これを「透け」と称する)ことが問題であった。この具体例を図１３に示す。図１３（ａ）は着目ページの画像、図１３（ｂ）は着目ページの裏のページの画像、図１３（ｃ）は着目ページの下のページの画像、図１３（ｄ）は着目ページに写り込みが発生した画像である。
【０００３】
従来、特許文献１、２に開示されるように、「裏写り」の軽減に関しては印字濃度を調節して、「裏写り」の度合いを軽減する手法が提案されてきた。
【先行技術文献】
【特許文献】
【０００４】
【特許文献１】特開平７−２９８０５５号公報
【特許文献２】特開２００４−１１０５８５号公報
【発明の概要】
【発明が解決しようとする課題】
【０００５】
しかしながら、特許文献１、２に開示される手法では、複数ページを束ねて製本化するような場合に関しては考慮されておらず、裏写りだけでなく、用紙を重ねた時に生じる、着目ページの下の画像の透けの効果は考慮されていなかった。また、紙種、例えば坪量の違いによる写り込みの変化については考慮されていなかった。以下では、裏写りや透けを合わせて「映り込み」と称する。
【０００６】
また、裏写りを防止したとしても、製本時に透けが発生したり、濃度を調節してしまうことで、印刷品位が損なわれると言う問題点があった。
【０００７】
そこで、本発明の目的は、複数の記録媒体が重なるような状態で見たときに、他のページからの画像の写り込みを防止することにある。
【課題を解決するための手段】
【０００８】
本発明の画像処理装置は、第１の記録媒体の着目ページに記録される第１の画像データ、前記第１の記録媒体における着目ページとは異なるページに記録される第２の画像データ、及び、前記着目ページからみて前記第１の記録媒体の下に位置する第２の記録媒体に記録される第３の画像データを取得する画像データ取得手段と、前記第１の記録媒体及び前記第２の記録媒体の物性データを取得する物性データ取得手段と、前記画像データ取得手段と前記物性データ取得手段とによって取得されたデータに基づいて、前記着目ページのプレビュー画像データを生成する生成手段とを有することを特徴とする。
【発明の効果】
【０００９】
本発明によれば、複数の記録媒体が重なるような状態で見たときに、他のページからの画像の写り込みを防止することが可能となる。
【図面の簡単な説明】
【００１０】
【図１】第１の実施形態に係る画像処理装置の構成を示すブロック図である。
【図２】第１の実施形態に係る画像処理装置のユーザインタフェースを示す図である。
【図３】第１の実施形態に係る画像処理装置の動作を示すフローチャートである。
【図４】プレビュー画像生成部の構成を詳細に示すブロック図である。
【図５】プレビュー画像生成部の詳細な動作を示すフローチャートである。
【図６】光が真上から入射したときに、各紙面のインクでどのような経路で光が反射するかを示す図である。
【図７】第２の実施形態に係る画像処理装置のユーザインタフェースを示す図である。
【図８】第２の実施形態に係る画像処理装置の構成を示すブロック図である。
【図９】第２の実施形態に係る画像処理装置の動作を示すフローチャートである。
【図１０】第３の実施形態に係る画像処理装置の構成を示すブロック図である。
【図１１】第３の実施形態に係る画像処理装置の動作を示すフローチャートである。
【図１２】第４の実施形態に係る画像処理装置のユーザインタフェースを示す図である。
【図１３】「裏写り」及び「透け」の具体例を示す図である。
【発明を実施するための形態】
【００１１】
以下、本発明を適用した好適な実施形態を、添付図面を参照しながら詳細に説明する。
【００１２】
＜第１の実施形態＞
先ず、第１の実施形態について説明する。
図２は、第１の実施形態に係る画像処理装置のユーザインタフェースを示す図である。２０１は、ユーザインタフェースを表すＵＩ部である。２０２は、ユーザが所望のページを選択できるページ選択部である。２０３は、ユーザが着目ページの記録媒体を選択できる記録媒体選択部（１）である。２０４は、ユーザが着目ページの下の記録媒体を選択できる記録媒体選択部（２）である。２０５は、ユーザが所望の印字濃度を選択する濃度選択部である。２０６は、製本されたページを一覧表示するページ一覧表示部である。２０７は、着目ページの画像に写り込みの効果を反映した画像をプレビューする画像プレビュー部である。
【００１３】
図１は、第１の実施形態に係る画像処理装置の構成を示すブロック図である。３０１は画像処理部である。３０２は、ＵＩ部２０１においてユーザが指定した着目ページ番号と使用記録媒体の情報とが入力される入力部である。３０３は、ＵＩ部２０１においてユーザが指定した指定濃度に基づき濃度補正が行われる補正部である。３０４は、ページ毎の画像データ及び記録媒体の印刷データが保持されている印刷データバッファである。３０５は、入力部３０２から入力された着目ページ番号と使用記録媒体の情報とに基づき、印刷データバッファ３０４から該当する着目ページ、着目ページの裏のページ、着目ページの下のページの画像データ及び記録媒体情報を取得するページデータ選択部である。３０６は、着目ページ、着目ページの裏のページ、着目ページの下のページの画像データを受け取り、紙物性ＤＢ３０７より、着目ページ、着目ページの下のページの記録媒体の紙物性データを受け取って、着目ページへの写り込みプレビュー画像を作成するプレビュー画像作成部である。プレビュー画像生成部３０６の詳細な構成に関しては後述する。３０７は、第１の実施形態に係る画像処理装置が保有する記録媒体の紙物性データを保持している紙物性ＤＢである。３０８は、プレビュー画像生成部３０６のプレビュー画像データを受け取り、ＵＩ部２０１（出力装置）に出力させる出力部である。なお、上記紙物性データには、記録媒体の坪量、組成及び光学特性等が含まれる。光学特性とは、記録媒体の不透明度、反射率、透過率及び屈折率等である。上記出力部は、出力制御手段の適用例となる構成である。
【００１４】
次に、第１の実施形態に係る画像処理装置の動作を、図３に示すフローチャートを参照しながら説明する。
【００１５】
先ず、ＵＩ部２０１よりユーザの指定濃度が入力され、印刷データバッファ３０４において画像データに対して濃度補正が行われる（ステップＳ４０１）。
【００１６】
次に、入力部３０２より、ユーザが指定した着目ページ番号と使用記録媒体の情報とが入力され、ページデータ選択部３０５がその情報を取得する（ステップＳ４０２）。
【００１７】
次に、ページデータ選択部３０５は、印刷データバッファ３０４より、着目ページ、着目ページの裏のページ、着目ページの下のページの画像データを取得する（ステップＳ４０３）。なお、ステップＳ４０３は画像データ取得手段の処理例である。
【００１８】
次に、プレビュー画像生成部３０６は、ページデータ選択部３０５より、各ページの画像データを受け取り、紙物性ＤＢ３０７より、着目ページ、着目ページの下のページの使用記録媒体の紙物性データを取得する（ステップＳ４０４）。なお、ステップＳ４０４は物性データ取得手段の処理例である。
【００１９】
次に、プレビュー画像生成部３０６は、ステップＳ４０４で受け取ったデータに基づき、プレビュー画像データを作成する（ステップＳ４０５）。プレビュー画像生成部の詳細な動作は後述する。なお、ステップＳ４０５は生成手段の処理例である。
【００２０】
最後に、プレビュー画像データが画像プレビュー部２０７に表示され（ステップＳ４０６）、画像処理部３０１の動作が終了する。
【００２１】
なお、本実施形態では、濃度補正を一括して全てのページの画像データに行うとしたが、各ページに応じて濃度補正を行うような構成も可能である。
【００２２】
また、プレビュー結果をユーザが調整して印刷データバッファ３０４にフィードバックし、最終的に得られた印刷データバッファ３０４における調整後のデータを図示しない出力部において出力する。即ち、ユーザの操作によって、表示されているプレビュー画像データが修正された場合、その修正内容に応じて印刷データバッファ３０４内の画像データの印字濃度や記録媒体の種類が変更される。なお、本処理は修正手段の処理例である。
【００２３】
図４は、プレビュー画像生成部３０６の構成を詳細に示すブロック図である。図４において、５０１は、着目ページの画像データが入力される入力部（１）である。５０２は、着目ページの裏のページの画像データが入力される入力部（２）である。５０３は、着目ページの下のページの画像データが入力される入力部（３）である。５０４は、着目ページの裏のページの画像データの左右を反転する画像データ反転部である。５０５は、印字濃度と、その印字濃度における反射率・透過率との関係のルックアップテーブルを保存している濃度−光学定数ＬＵＴである。
【００２４】
５０６は、着目ページの画像データ、着目ページの記録媒体の紙物性データを受け取り、濃度−光学定数ＬＵＴ５０５を参照して、着目ページの反射率、透過率を予測する着目ページ予測部である。
【００２５】
５０７は、着目ページ予測部５０６から着目ページの透過率、着目ページの左右を反転させた画像データ、着目ページの記録媒体の紙物性データを受け取り、濃度−光学定数ＬＵＴ５０５を参照して、裏写り画像の反射率、及び、着目ページの記録媒体の透過率を作成する裏写り画像予測部である。
【００２６】
５０８は裏写り画像予測部５０７から着目ページの記録媒体の透過率、着目ページの下の画像データ、着目ページ、着目ページの下の記録媒体の紙物性データを受け取り、濃度−光学定数ＬＵＴ５０５を参照して透け画像の反射率を予測する透け画像予測部である。
【００２７】
５０９は、着目ページ予測部５０６が予測した反射率、裏写り画像予測部５０７が予測した反射率、透け画像予測部５０８が予測した反射率を受け取り、それらから写り込みを考慮したプレビュー画像データを生成する画像合成部である。５１０は、画像合成部５０９が作成したプレビュー画像データを出力する出力部である。
【００２８】
次に、プレビュー画像生成部３０６の詳細な動作を、図５に示すフローチャートを参照しながら説明する。図５は、ステップＳ４０５を詳細に示すフローチャートである。ここでは予測モデルとして簡単な光学モデルを採用しているが、このモデルに限定されず、別の予測モデルを用いて構わない。また、予測モデルを用いずに実際にパッチを印字して裏写りと濃度とのルックアップテーブルを作成する方法も考えられる。今回使用するモデルの概念図を図６に示す。図６は、光が真上から入射したときに、各紙面のインクでどのような経路で光が反射するかを示す図である。
【００２９】
以下、画素の値を（ｘ，ｙ）とし、着目ページの画像データ（第１の画像データ）をＩ１（ｘ，ｙ）、着目ページの裏の画像データ（第２の画像データ）をＩ２（ｘ，ｙ）、着目ページの下の画像データ（第３の画像データ）をＩ３（ｘ，ｙ）とする。Ｉ２（ｘ，ｙ）の左右を反転させた画像データをＩ２´（ｘ，ｙ）とする。
【００３０】
先ず、入力部（１）５０１、入力部（２）５０２、入力部（３）５０３からそれぞれＩ１（ｘ，ｙ）、Ｉ２（ｘ，ｙ）、Ｉ３（ｘ，ｙ）が入力される（ステップＳ６０１）。
【００３１】
次に、着目ページ予測部５０６は、Ｉ１（ｘ，ｙ）を受け取り、濃度−光学定数ＬＵＴ５０５及び紙物性ＤＢ３０７を参照して、着目ページの反射率ｒ１（ｘ，ｙ）及び着目ページの透過率ｔ１（ｘ，ｙ）を予測する（ステップＳ６０２）。
【００３２】
次に、画像データ反転部５０４はＩ２（ｘ，ｙ）を左右反転し、Ｉ２´（ｘ，ｙ）を作成する（ステップＳ６０３）。
【００３３】
裏写り画像予測部５０７は、ｔ１（ｘ，ｙ）、Ｉ２´（ｘ，ｙ）を受け取り、濃度−光学定数ＬＵＴ５０５及び紙物性ＤＢ３０７を参照して、裏写り画像の反射率及び着目ページの記録媒体（第１の記録媒体）を透過する透過率を予測する（ステップＳ６０４）。本実施形態では予測の方法は以下に従うものとする。
【００３４】
裏写り画像予測部５０７は、インクが記録された部分に関しては濃度−光学ＬＵＴ５０５の反射率を参照し、インクが記録されていない部分に関しては紙物性ＤＢ３０７の着目ページの記録媒体の反射率を参照し、Ｉ２´（ｘ，ｙ）の反射率を算出する。これをｒ２（ｘ，ｙ）とする。裏写り画像の予測反射率ｒ＿ｕｒａ（ｘ，ｙ）は、ｒ＿ｕｒａ（ｘ，ｙ）＝ｒ２（ｘ，ｙ）＊ｔ１（ｘ，ｙ）で表される。
【００３５】
また、裏写り画像予測部５０７は、インクが記録された部分に関しては濃度−光学ＬＵＴ５０５の透過率を参照し、インクが記録されていない部分に関しては紙物性ＤＢ３０７の着目ページの記録媒体の透過率を参照し、Ｉ２´（ｘ，ｙ）の透過率を算出する。これをｔ２（ｘ，ｙ）とする。着目ページの記録媒体を透過する透過率ｔ＿ｕｒａ（ｘ，ｙ）は、ｔ＿ｕｒａ（ｘ，ｙ）＝ｔ２（ｘ，ｙ）＊ｔ１（ｘ，ｙ）で表される
【００３６】
次に、透け画像予測部５０８はｔ＿ｕｒａ（ｘ，ｙ）を受け取り、濃度−光学定数ＬＵＴ５０５及び紙物性ＤＢ３０７を参照して、透け画像の反射率を予測する（ステップＳ６０５）。
【００３７】
本実施形態では予測の方法は以下に従うものとする。透け画像予測部５０８は、インクが記録された部分に関しては濃度−光学ＬＵＴ５０５の反射率を参照し、インクが記録されていない部分に関しては紙物性ＤＢ３０７の着目ページの下に位置する記録媒体（第２の記録媒体）の反射率を参照する。そして、透け画像予測部５０８は、参照内容に基づいてＩ３（ｘ，ｙ）の反射率を算出する。これをｒ３（ｘ，ｙ）とする。透け画像の予測反射率ｒ＿ｓｕｋｅ（ｘ，ｙ）は、ｒ＿ｓｕｋｅ（ｘ，ｙ）＝ｒ３（ｘ，ｙ）＊ｔ＿ｕｒａ（ｘ，ｙ）で表される。
【００３８】
最後に、画像合成部５０９は写り込みを考慮した反射率ｒ＿ｓｕｍ（ｘ，ｙ）を、ｒ＿ｓｕｍ（ｘ，ｙ）＝ｒ１（ｘ，ｙ）＋ｒ＿ｕｒａ（ｘ，ｙ）＋ｒ＿ｓｕｋｅ（ｘ，ｙ）で算出し、プレビュー画像を作成し（ステップＳ６０６）、終了する。
【００３９】
以上説明したように、本実施形態ではユーザが所望の濃度と記録媒体の種類を選択し、それに応じて写り込みの効果を考慮したプレビューを行う。このことで、写り込みが少なく、且つ印刷品位もユーザの好みを反映した製本の印刷が可能になる。
【００４０】
＜第２の実施形態＞
次に、第２の実施形態について説明する。
第１の実施形態では、プレビュー画面を見てユーザが所望の条件を入力する例について示した。これに対し、第２の実施形態ではプレビュー画面表示時に様々な記録媒体上に印字した場合の移り込みを同時表示するようなユーザインタフェースを実装した画像処理装置について説明する。ブロック図、フローチャートについては第１の実施形態と共通する部分は適宜説明を省略する。また、本実施形態では簡単のため、全ページに渡って同一の記録媒体を使用する場合について説明する。
【００４１】
図７は、第２の実施形態に係る画像処理装置のユーザインタフェースを示す図である。８０１はユーザインタフェースを表すＵＩ部である。８０２はユーザが所望のページを選択できるページ選択部である。８０３は製本されたページを一覧表示するページ一覧表示部である。８０４はユーザが所望の印字濃度を選択する濃度選択部である。８０５は記録媒体（１）上の画像に裏写り（又は写り込み）の効果を反映した着目ページの画像をプレビューする画像プレビュー部（１）である。８０６は、記録媒体（２）上の画像に裏写り(又は写り込み)の効果を反映した着目ページの画像をプレビューする画像プレビュー部（２）である。８０７は、記録媒体を選択する記録媒体選択部（１）である。８０８は、記録媒体を選択する記録媒体選択部（２）である。
【００４２】
なお、本実施形態では２種類の紙種について同時プレビューするＵＩを示したが、記録媒体の種類においては２種類に限定される必要はなく、同時に数種類のプレビュー画像を表示するＵＩも可能である。
【００４３】
図８は、第２の実施形態に係る画像処理装置の構成を示すブロック図である。９０１は第２の実施形態における画像処理部である。画像処理装置３０１、補正部３０３、印刷データバッファ３０４、紙物性ＤＢ３０７に関しては第１の実施形態で説明した構成と同様である。
【００４４】
次に、第２の実施形態に係る画像処理装置の動作を、図９に示すフローチャートを参照しながら説明する。
【００４５】
先ず、ＵＩ部２０１よりユーザの指定濃度が入力され、印刷データバッファ３０４において画像データに対して濃度補正が行われる（ステップＳ４０１）。
【００４６】
次に、入力部３０２より、ユーザが指定した着目ページ番号と使用記録媒体の情報とが入力され、ページデータ選択部３０５がその情報を取得する（ステップＳ４０２）。
【００４７】
次に、ページデータ選択部３０５は、印刷データバッファ３０４より、着目ページ、着目ページの裏のページ、着目ページの下のページの画像データを取得する（ステップＳ４０３）。
【００４８】
次に、画像処理装置３０１は、紙物性ＤＢ３０７から記録媒体（１）に関する紙物性データを取得し（ステップＳ１００１）、プレビュー画像（１）を作成する（ステップＳ１００２）。
【００４９】
次に、別の画像処理装置３０１は、紙物性ＤＢ３０７から記録媒体（２）に関する紙物性データを取得し（ステップＳ１００３）、プレビュー画像（２）を作成する（ステップＳ１００４）。プレビュー画像（１）は画像プレビュー部（１）８０５に表示され、プレビュー画像（２）は画像プレビュー部（２）８０６に表示され（ステップＳ１００５）、本画像処理部９０１の動作を終了する。
【００５０】
以上説明したように、本実施形態では２種類(あるいは数種類)の紙に印字した場合の裏写り(又は写り込み)の同時プレビューを行う。これにより、ユーザがどの記録媒体に印字するのが最も好ましいかを一目で判断することが可能になる。
【００５１】
＜第３の実施形態＞
次に、第３の実施形態について説明する。
第１の実施形態では、ユーザがページを選択し、好ましい条件を選択するＵＩ部を示した。これに対し、本実施形態では画像処理装置が全てのページにおける裏写り(又は写り込み)の影響を予測し、一定閾値以上の裏写り(又は写り込み)が発生した場合は該当ページを警告表示するという事例について説明する。ブロック図、フローチャートについては第１の実施形態と共通する部分は適宜説明を省略する。
【００５２】
図１０は、第３の実施形態に係る画像処理装置の構成を示すブロック図である。１１０１は、第３の実施形態における画像処理部である。１１０２は全ページの画像データ及び使用する記録媒体が入力される入力部である。１１０３は入力部１１０２から入力されるデータを各ページごとに分割するページデータ分割部である。１１０４はページデータ分割部１１０３から送られてきた画像データ及び使用記録媒体のデータを元に反射率を計算する写り込み計算部である。写り込み計算部の構成は基本的にプレビュー画像生成部３０６に紙物性ＤＢ３０７が組み込まれたものである。但し、写り込み計算部１１０４はプレビュー画像生成部３０６において、計算したｒ＿ｓｕｋｅ（ｘ，ｙ）＋ｒ＿ｕｒａ（ｘ，ｙ）からｍｉｎ［ｒ＿ｓｕｋｅ（ｘ，ｙ）＋ｒ＿ｕｒａ（ｘ，ｙ）］を算出する。以下ｍｉｎは（ｘ，ｙ）に渡って作用するものとする。１１０５は写り込み計算部１１０４から送られてきた各ページのｍｉｎ［ｒ＿ｓｕｋｅ（ｘ，ｙ）＋ｒ＿ｕｒａ（ｘ，ｙ）］の値を基に、この値が閾値を下回った場合に該当ページ番号を出力する写り込み警告部である。１１０６は写り込み警告部が出力したページ番号データを出力する出力部である。
【００５３】
以下、図１０に示す画像処理装置の動作を、図１１に示すフローチャートを参照しながら説明する。
【００５４】
先ず、入力部１１０２から全ページの画像データ及び全ページの使用記録媒体の情報が入力される（ステップＳ１２０１）。
【００５５】
次に、ページデータ分割部１１０３は各ページごとのデータに分割し、各ページのデータをそれぞれに対応する写り込み計算部１１０４に送る（ステップＳ１２０２）。ここで、写り込みの影響まで考慮する場合は着目ページ、着目ページの裏のページ、着目ページの下のページのデータが送られる。一方、裏写りの影響のみ考慮する場合は着目ページ、着目ページの裏のページのデータが送られる。
【００５６】
次に、各写り込み計算部１１０４は対応するページの写り込みを計算し、ｍｉｎ［ｒ＿ｓｕｋｅ（ｘ，ｙ）＋ｒ＿ｕｒａ（ｘ，ｙ）］を算出し、値を写り込み警告部１１０５に送る（ステップＳ１２０３）。
【００５７】
次に、写り込み警告部１１０５は、各ページのｍｉｎ［ｒ＿ｓｕｋｅ（ｘ，ｙ）＋ｒ＿ｕｒａ（ｘ，ｙ）］の値を受け取り、この値が閾値を下回るかどうか調べ、下回る場合は該当ページ番号を出力部１１０６に送る（ステップＳ１２０４）。最後に、出力部１１０６から写り込みの警告対象ページ番号が出力される（ステップＳ１２０５）。
【００５８】
なお、ここでは写り込み計算部１１０４が多数存在するとしたが、写り込み計算部１１０４は１つで、ページに関するループを回して計算させても良い。
【００５９】
以上説明したように、本実施形態では画像処理装置が自動的に写り込みの度合いが閾値レベルを超えた場合に該当ページ番号を自動的に警告する。このように写り込み度合いが一定基準を外れた場合に警告を発することにより、ユーザが写り込みの度合いを各ページ手動で判断することなく、高速に写り込みの低減を図ることができる。
【００６０】
＜第４の実施形態＞
次に、第４の実施形態について説明する。
第１の実施形態では、着目ページのみプレビューするＵＩ部について示した。本実施形態では、着目ページとその裏のページを同時プレビューするＵＩ部について示す。なお、ブロック図及びフローチャートは第１の実施形態とほぼ同様であるので割愛する。
【００６１】
図１２は、第４の実施形態に係る画像処理装置のユーザインタフェースを示す図である。ページ選択部２０２、記録媒体選択部（１）２０３、記録媒体選択部（２）２０４、濃度選択部２０５、ページ一覧表示部２０６、画像プレビュー部２０７に関しては、第１の実施形態で説明したＵＩ部と同様である。１３０１はユーザインタフェースを表すＵＩ部である。１３０２は着目ページの裏のページの下にくるページの記録媒体の種類を選択する記録媒体選択部（３）である。１３０３は着目ページの裏のページの写り込みをプレビューする画像プレビュー部（２）である。
【００６２】
以上説明したように、本実施形態では着目ページ及び、その裏のページの写り込みを同時に見ながら、ユーザが所望の印字条件を選択することができる。このことで両面印刷の最適な印字条件を容易に選択することが可能になる。
【００６３】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2011015281.tif 000003
【図２】
2011015281.tif 000004
【図３】
2011015281.tif 000005
【図４】
2011015281.tif 000006
【図５】
2011015281.tif 000007
【図６】
2011015281.tif 000008
【図７】
2011015281.tif 000009
【図８】
2011015281.tif 000010
【図９】
2011015281.tif 000011
【図１０】
2011015281.tif 000012
【図１１】
2011015281.tif 000013
【図１２】
2011015281.tif 000014
【図１３】
2011015281.tif 000015